(57)【要約】  パーソナルケア電気器具（１０）は、ハンドル／ハウジング（２０）と、ワークピース組立体（１２）と、ワークピース組立体を駆動するためにハンドルに取り付けられるモータ組立体（１８）と、モータ組立体又はハンドルに接続される二次共振器（３０）とを含み、二次共振器は、その共振動作で、さもなければハンドルに伝達されるモータ組立体の動作によって生成される振動が有意に減少／相殺される点で特徴付けられる、バネ質量組立体を含む。
2011502548.tif 000002
【特許請求の範囲】
【請求項１】
ハンドル部分と、ワークピース組立体と、さもなければ前記ハンドルに伝達される振動を動作中に生成する、該ワークピース組立体を駆動するために前記ハンドルに取り付けられるモータ組立体と、該モータ組立体又は前記ハンドル部分に接続される二次共振器とを含む、パーソナルケア電気器具であって、該二次共振器は、当該電気器具が動作しているときに前記モータ組立体から前記ハンドル部分への振動の減少をもたらす共振周波数及び動作によって特徴付けられるバネ質量組立体を含む、パーソナルケア電気器具。
【請求項２】
前記二次共振器の動作は、前記モータ組立体の動作と約１８０°位相ずれする、請求項１に記載のパーソナルケア電気器具。
【請求項３】
前記二次共振器の共振周波数は、当該電気器具の駆動周波数の１０Ｈｚ内である、請求項１に記載のパーソナルケア電気器具。
【請求項４】
前記ワークピース組立体の動作は、回転的である、請求項１に記載のパーソナルケア電気器具。
【請求項５】
前記ワークピース組立体の動作は、横断的である、請求項１に記載のパーソナルケア電気器具。
【請求項６】
前記二次共振器は、制振構造を含む、請求項１に記載のパーソナルケア電気器具。
【請求項７】
前記制振構造は、前記二次共振器を含む前記バネ質量組立体の質量部分の一部である、請求項６に記載のパーソナルケア電気器具。
【請求項８】
前記制振構造は、前記質量部分に固定される取付け部材と含み、前記バネ部材の一端部は、前記取付け部材に接続される、請求項６に記載のパーソナルケア電気器具。
【請求項９】
前記制振構造は、前記二次共振器を含む前記バネ質量組立体の低効率バネ部材部分を含む、請求項６に記載のパーソナルケア電気器具。
【請求項１０】
前記制振部材は、前記二次共振器を含む前記バネ質量組立体の前記質量部分に取り付けられる少なくとも１つのファンブレード素子を含む、請求項６に記載のパーソナルケア電気器具。
【請求項１１】
少なくとも２つの対向するファンブレード素子を含む、請求項１０に記載のパーソナルケア電気器具。
【請求項１２】
前記質量部分及び前記ファンブレードは、粘性材料を含む容器内に取り付けられ、それによって、前記ファンブレードによって生成される制動作用を増大する、請求項１０に記載のパーソナルケア電気器具。
【請求項１３】
前記ワークピースを駆動するための前記モータ組立体は、非結節的に取り付けられる、請求項１に記載のパーソナルケア電気器具。
【請求項１４】
前記バネ質量組立体の前記バネ部分は、板バネを含む、請求項１に記載のパーソナルケア電気器具。
【請求項１５】
前記バネ質量組立体の前記バネ部分は、捩り棒を含む、請求項１に記載のパーソナルケア電気器具。
【請求項１６】
前記バネ質量組立体の前記バネ部分は、線バネを含む、請求項１に記載のパーソナルケア電気器具。
【請求項１７】
前記バネ質量組立体の前記バネ部分は、コイル状腕時計バネを含む、請求項１に記載のパーソナルケア電気器具。
【請求項１８】
前記バネ質量組立体の前記バネ部分は、切断バネを含む、請求項１に記載のパーソナルケア電気器具。
【請求項１９】
前記バネ質量組立体の前記バネ部分は、Ｖバネ部材を含む、請求項１に記載のパーソナルケア電気器具。
【請求項２０】
前記二次共振器の前記バネ質量組立体は、質量部材と、前記モータ組立体と前記質量部材との間に延在する第一バネと、前記質量部材と前記ハンドルとの間に延在する第二バネとを含む、請求項１に記載のパーソナルケア電気器具。
【請求項２１】
前記モータ組立体によって生成される前記ハンドルの振動は、実質的に相殺される、請求項１に記載のパーソナルケア電気器具。
【請求項２２】
前記二次共振器は、磁石組立体であり、該磁石組立体は、固定磁石構成と、前記モータに接続される磁石とを含み、前記モータに接続される磁石に対して芯出し効果をもたらし、反往復動及び振動現象を引き起こす、請求項１に記載のパーソナルケア電気器具。
【請求項２３】
前記磁石組立体は、１つの方法において、前記モータに接続される磁石と前記固定磁石構成との間の反発中に動作するよう、或いは、他の方法において、前記モータに接続される磁石と前記固定磁石構成との間の引付け中に動作するよう構成される、請求項２２に記載のパーソナルケア電気器具。
【請求項２４】
前記二次共振器は、二次固定子を含み、該二次固定子を通じて、磁場をもたらすよう電流が方向付けられ、前記ハウジングに取り付けられる磁石構成をさらに含み、前記固定磁石と前記磁場との間の磁性相互作用は、前記二次固定子部材に対する芯出し効果をもたらし、前記モータ動作に対する反往復動を引き起こし、振動を減少する、請求項１に記載のパーソナルケア電気器具。
【請求項２５】
ハンドル部分と、ワークピース組立体と、該ワークピースを駆動するための一次共振器を定めるモータ組立体とを含む、パーソナルケア電気器具であって、前記モータ組立体に接続される二次共振器を含み、該二次共振器は、その共振で、前記ハンドルに伝達される振動が減少されることによって特徴付けられるバネ質量組立体を含む、パーソナルケア電気器具。
【請求項２６】
前記二次共振器の振動は、前記一次共振器の振動と約１８０°位相ずれする、請求項２５に記載のパーソナルケア電気器具。
【請求項２７】
前記質量組立体は、当該電気器具のための駆動周波数の１０Ｈｚ内である共振周波数を有する、請求項２５に記載のパーソナルケア電気器具。
【請求項２８】
前記ワークピースの動作は、回転的である、請求項２５に記載のパーソナルケア電気器具。
【請求項２９】
前記ワークピースの動作は、横断的である、請求項２５に記載のパーソナルケア電気器具。
【請求項３０】
前記二次共振器は、制振構造を含む、請求項２５に記載のパーソナルケア電気器具。
【請求項３１】
前記一次共振器によって生成される振動は、実質的に相殺される、請求項２５に記載のパーソナルケア電気器具。
【請求項３２】
ハンドル部分と、ワークピース組立体と、さもなければ前記ハンドルに伝達される振動を動作中に生成する、前記ワークピース組立体を駆動するために前記ハンドルに取り付けられるモータ組立体と、該モータ組立体又は前記ハンドル部分に接続される共振器とを含み、該共振器は、当該電気器具が動作しているときに前記モータ組立体から前記ハンドル部分への振動の減少をもたらす共振周波数及び動作によって特徴付けられるバネ質量を含む、パーソナルケア電気器具。
【請求項３３】
前記共振器の動作は、前記モータ組立体の動作と約１８０°移相ずれする、請求項３２に記載のパーソナルケア電気器具。
【請求項３４】
前記ワークピース組立体の動作は、回転的である、請求項３２に記載のパーソナルケア電気器具。
【請求項３５】
前記ワークピース組立体の動作は、横断的である、請求項３２に記載のパーソナルケア電気器具。
【請求項３６】
前記共振器は、制動構造を含む、請求項３２に記載のパーソナルケア電気器具。
【発明の詳細な説明】
【技術分野】
【０００１】
この発明は、一般的には、パーソナルケア電気器具における振動削減に関し、より具体的には、そのような振動削減を達成する二次共振器の使用に関する。
【背景技術】
【０００２】
所望の歯ブラシ動作を達成するよう結節（ノード）取付け共振器を使用する、例えば、動力歯ブラシのような、パーソナルケア電気器具において、共振器の１つの部分は、中心結節点について他の部分に対して１８０°移相ずれで振動し、それは電気器具のハンドルに伝達される共振器の振動を実質的に相殺する。そのような結節取付けシステムの一例が、米国特許第６，８５９，９６８号に示されており、それは本発明の譲受人によって所有され、参照によってここに組み込まれる。
【０００３】
しかしながら、結節取付けされない電気器具においては、実質的な振動が、典型的には、動作中に電気器具のハンドルに伝達され、それは使用者に不愉快であり、ハンドルがどれぐらい堅く使用者によって把持されるかに依存して性能のばらつきをもたらす。ハンドルに伝達される振動は、典型的には、パーソナルケア電気器具の継続している開発の間に、ハンドルがより小さくなるのに応じて、具体的には、ハンドルの直径が減少するのに応じて増大する。動力歯ブラシのような新しいパーソナルケア電気器具は、一般的には、より小さくなる、具体的には、より細くなるので、これは業界における益々の懸念である。
【０００４】
さらに、ハンドルがより小さくなると、電気器具の駆動系は、所望レベルの効率を維持するために、ハンドル内の変化によって創成される装置の自然共振周波数内の変化を補償するよう、変更、即ち、設計変更されなければならない。そのような設計変更努力は、時間がかかり且つ費用のかかるプロセスであり得る、即ち、もしハンドルが変更されるならば、長時間に亘り所与のハンドル構造と共に成功裏に使用されてきた共振器プラットフォームは、今や設計変更されなければならない。これは電気器具のハンドル部分における所望の品質向上を妨げ得る。
【発明の概要】
【発明が解決しようとする課題】
【０００５】
従って、モータ系、即ち、即ち、一次共振器の動作によって生成される振動を補償し且つ／或いは減少するために使用され得る、一次共振器と別個の系を有することが望ましい。
【課題を解決するための手段】
【０００６】
従って、本発明は、１つの実施態様において、ハンドル部分と、ワークピース組立体と、さもなければハンドルに伝達される振動を動作中に生成する、ワークピース組立体を駆動するためにハンドルに取り付けられるモータ組立体と、モータ組立体又はハンドル部分に接続される二次共振器とを含むパーソナルケア電気器具であって、二次共振器は、電気器具が動作しているときにモータ組立体からハンドル部分への振動の減少をもたらす共振周波数及び動作によって特徴付けられるバネ質量組立体を含むパーソナルケア電気器具である。
【図面の簡単な説明】
【０００７】
【図１】ここに記載される振動削減系の１つの実施態様を組み込んだ動力歯ブラシを示す簡略図である。
【図２】図１の実施態様の代替的な実施態様を示す簡略図である。
【図３】パーソナルケア電気器具内の振動削減系の１つの部分の１つの実施態様を示す概略図である。
【図４】振動削減系の他の実施態様を示す概略図である。
【図５】振動削減系の他の実施態様を示す概略図である。
【図６】振動削減系の他の実施態様を示す概略図である。
【図７】振動削減系の他の実施態様を示す概略図である。
【図８Ａ】振動削減系の他の実施態様を示す概略図である。
【図８Ｂ】振動削減系の他の実施態様を示す概略図である。
【図９Ａ】振動削減系の他の実施態様を示す概略図である。
【図９Ｂ】振動削減系の他の実施態様を示す概略図である。
【図１０】振動削減系の他の実施態様を示す概略図である。
【図１１】振動削減系の他の実施態様を示す概略図である。
【図１２Ａ】振動削減系の他の実施態様を示す概略図である。
【図１２Ｂ】振動削減系の他の実施態様を示す概略図である。
【図１３】振動削減系のさらなる実施態様を示す概略図である。
【図１４】振動削減系のさらなる実施態様を示す概略図である。
【図１５】上記及び他の実施態様と共に有用な制振構成を示す概略図である。
【図１６】上記及び他の実施態様と共に有用な制振構成を示す概略図である。
【図１７】上記及び他の実施態様と共に有用な制振構成を示す概略図である。
【図１８】上記及び他の実施態様と共に有用な制振構成を示す概略図である。
【発明を実施するための形態】
【０００８】
上記第‘９６８号特許は、歯ブラシのような動力パーソナルケア電気器具を駆動するための結節取付けシステムに向けられている。この結節取付け電気器具は、モータ出力をワークピース組立体に結合するバネ共振器組立体を含む。モータは、ハンドルに取り付けられている。バネ共振器組立体は、２つのバネ部分を含み、それらの間に結節点中心を備える。２つのバネ部分は、結節点について反対方向に移動し、ハンドルに伝達される振動の相殺又は有意な減少をもたらす。
【０００９】
しかしながら、非結節取付け系では、モータ及びバネ共振器の動作は、モータとハンドルとの間に延在するモータ取付け組立体によって、ハンドルに伝達される。
【００１０】
図１及び２は、ハンドルに伝達されるそのような一次共振器振動を実質的に相殺しないとしても有意に削減し得る、系の２つの実施態様を示している。１つの実施態様に関する図１を参照すると、動力歯ブラシの形態のパーソナルケア電気器具が、概ね１０で示されている。電気器具は、簡略化された形態において、ワークピース組立体１２を含み、それは、例えば、延長アーム１６によって支持される歯ブラシブラシヘッド部材１４を含み得る。ワークピース組立体１２は、概ね１８で示される往復動作モータによって駆動される。モータ１８は、様々なモータ構成の如何なる１つでもあり得る。電磁モータ構成の１つの実施例が、米国特許第５，１８９，７５１号に図示され且つ記載されており、それは本発明の譲受人によって所有され、その内容は参照によってここに組み込まれる。しかしながら、ここに図示され且つ記載される実施態様は、如何なる特定のモータ構成との使用にも限定されないことが理解されるべきである。
【００１１】
図１中のモータ１８は、標準的な取付け組立体２２によって、ハンドル２０（ハウジングとも呼ぶ）に取り付けられている。図１は、非結節取付け系を例証している。モータ共振器（一次共振器）によって生成される振動は、取付け組立体２２を通じたハンドルへの振動を引き起こす。これらの振動は、特に、小さい又は細いハンドルを備える電気器具において、少なくとも厄介であり得るし、一部の場合には、使用者にとって極めて不愉快であり得る。モータ１８は、図１中にハンドル内に位置付けられて示される電池２４を含め、様々な方法で動力供給され得る。
【００１２】
図示されるような図１の実施態様において、二次共振器は、一次共振器の動作からハンドルへの振動を削減するよう提供される。概ね３０で指し示されるこの二次共振器は、図示されるような、モータハウジングに固定されるバネ部材３２、及び、バネ部材の端部に取り付けられる別個の質量３４の両方を含むバネ質量系を含む。バネ質量系３０は、以下に詳細に議論されるように、様々な特別な構成を取り得るが、その共振周波数は、モータ１８からの駆動信号の周波数の１０Ｈｚ内、好ましくは、その約２Ｈｚ内であるべきである。
【００１３】
バネ質量系３０は、ハンドルに伝達される如何なる振動も、非補償構成に比べて実質的に減少され或いは排除されるよう、共振で、即ち、それがその共振周波数で移動（往復動）するときに、その動作（例えば、回転又は並進）が、一次共振系の動作と反対であることによって特徴付けられる。例えば、典型的な動力歯ブラシ構成では、振動の削減は約７０％であり得るが、これは合理的な程度に異なり得る。好ましい動作は１８０°移相ずれであるが、一部の利益は、１８０°より上並びに下の角度範囲、即ち、９１°乃至２６９°に亘って得られる。角度が１８０°により近づけば近づくほど、結果はより良好になる。
【００１４】
バネ質量系３０は、上述されたように、図１の実施態様では、モータ１８のハウジングに固定される。バネ質量系は、それが自由に振動、即ち、共振し得る限り、様々な位置でハウジングに固定され得る。図示される構成では、バネ質量系３０は、モータハウジングの後方端部３８から延びている。
【００１５】
図１の構成の代替が図２に示されているが、図１の構成が好ましい。図２は、図１中と同じ素子を示しているが、バネ質量系３０がモータハウジングに固定され且つモータハウジングから延びる代わりに、それはハンドル２０の内表面に固定され且つハンドルの内表面から延びている。図示される実施態様において、バネ質量系３０は、ハウジング２０の後方端部４０の内表面から延びている。それは内表面の様々な場所であり得る。
【００１６】
上記実施態様の両方は、所望の結果を生成し得る、即ち、一次共振器の動作から電気器具のハンドルに伝達される振動を実質的に削減し或いは排除する。
【００１７】
図３乃至１２は、二次共振器のバネ質量系が多用な構造を取り得ること、並びに、有意な振動削減の所望の結果を依然としてもたらすことを実証する、バネ質量系の様々な実施態様を示している。各図面は、例証の目的のために、様々な構成の比較的簡単な描写である。図３は、板バネ４８によってモータハウジング４７に接続される単一質量４６を含むバネ質量系を示している。この実施例において、質量４６は、立方体（質量／慣性）として示されており、所望の共振周波数をもたらすよう選択的なバネと共に作用する。この実施態様において、板バネ４８は、例えば、ほぼ１５ｍｍ（０．６インチ）の長さに６ｍｍ（０．２５インチ）の幅及び０．３３ｍｍ（０．０１インチ）の厚さを乗じたものである。これらの寸法は、例証的な実施例のために過ぎず、それらは異なり得る。動作中、モータがワークピース組立体を矢印５２によって示される１つの方向に回転すると、質量４６は、ワークピースの運動と共に反対方向に、即ち、１８０°位相ずれで往復動する。この構成では、往復動は、ワークピースの横方向運動と横方向（側方）に対向する。これはハンドルに伝達される振動の実質的な減少／相殺をもたらす。
【００１８】
図４は、幾分類似の構成を示しており、電気器具モータ５６と、質量５８，５８ａ及び板バネ６０，６０ａをそれぞれ含む二重バネ質量組立体とを備える。これは複数バネ質量実施態様であり、そこでは、質量は回転し、同様に回転動作を有する一次共振器の回転振動を実質的に減少／相殺する。
【００１９】
図５は、質量６４と捩り棒(torsion  bar)６６とを含むバネ質量組立体を備えるモータ６２を示している。この構成では、捩り棒は、約１５ｍｍ（０．６インチ）の長さであり、約１ｍｍ（０．３９インチ）の直径を有する。
【００２０】
図６は、電気器具モータ６８と、質量７０と線バネ(wire  spring)７２とを含むバネ質量組立体とを含む他の実施態様を示しており、線バネ７２は、モータハウジングと質量７０との間に延在している。この実施態様では、線バネは、約１．０ｍｍ（０．０４インチ）の直径、約５０ｍｍ（２インチ）の長さであり、モータと質量との間のコイルの形態である。
【００２１】
図７は、それは電気器具モータ７６と質量バネ組立体とを含む他の実施態様を示しており、質量バネ組立体は、質量７８と、切断バネ部材(cut  spring  member)７９とを含み、バネ部材は、約１０ｍｍ（０．４インチ）の直径、１５ｍｍ（０．６インチ）の長さ、及び、１．５ｍｍ（０．０６インチ）の厚さの円筒の形態の一体物の金属から切り取られる。
【００２２】
図８及び８Ａは、幾分異なる構成を示している。実施態様は、電気器具モータ８０と、バネ質量組立体８２とを含む。バネ質量組立体８２は、可撓性旋回軸とも呼ばれる横断ヒンジバネ(cross-hinge  spring)であり、それは金属又はプラスチックのいずれかであり得る。質量は、４分の１区画湾曲素子８６と、モータ取付け部材８８とを含む。バネ部材９０は、湾曲素子８６を部材８８に固定している。
【００２３】
図９及び９Ａは、モータ９２とバネ質量系とを含む構成を示しており、バネ質量系は、質量９４と、Ｖバネ(V  spring)９６とを含む。Ｖバネは、その中心部分に切取り部分９８を含む。典型的には、Ｖバネは、約１４ｍｍ（０．５５インチ）の長さ、約７．７ｍｍ（０．３インチ）の幅、及び、約０．３ｍｍ（０．０１２インチ）の厚さである。
【００２４】
図１０は、ワークピースを１つの回転方向に回転する電気器具モータ１０２を備える他の実施態様を示している。モータから延びているのは、中心取付け部分１０６を含むバネ構成１０４であり、その端部には、２つのバネ部材１０８，１０９があり、それらは取付け部分１０６から反対方向に延びている。バネ部材１０８，１０９の端部には、別個の質量１００，１１１がある。
【００２５】
図１１は、ワークピースを一方向に回転するモータ１１４を含む異なるバネ質量構成を示している。バネ質量組立体は、質量１１８と、第二質量１２２とを含み、質量１１８は、質量１１８とモータ１１４との間に延在する第一バネ１２０を備え、第二質量１２２は、質量１１８と電気器具のハンドル１２４との間に延在している。２つのバネは、ハンドル内にバネ質量組立体のためのより良好な位置決めをもたらす利点を有する。
【００２６】
図１２及び１２Ａは、ワークピースを一方向に回転するモータ１２６と、バネ質量組立体とを含み、バネ質量組立体は、延在する二部質量組立体１３０と、質量組立体の２つの部分の間に（腕時計バネのように）部分円で延在する腕時計バネ部材(watch  spring  member)又は薄い時計バネ部材(clock  spring  member)１３２とを含む。
【００２７】
図３乃至１２の実施態様は、モータハウジングに接続されて示されているが、同じ構成は、図２中に概ね示される、実施態様のそれにも同様に配置され得る、即ち、ハンドルに取り付けられ得る。
【００２８】
図１３及び１４は、振動現象／相殺のための磁性バネ構成を示している。図１３は、バネであり得る部材又は単に接続部材のいずれかによってモータに接続される質量１３４を備えるモータ１３３を示している。磁石１３６が、図示されるような複数の極性を備える質量に固定されている。２つの磁石１３７，１３７Ａは、磁石１３６が移動するときに反発作用をもたらすよう、図示されるような極性を備えて位置付けられている。反発作用は、磁石がモータ１３３の作用によって往復動するときに磁石１３６を「芯出し」する傾向があり、よって、磁石の逆往復動を生成し、振動を減少する。磁石１３７，１３７Ａは、ハウジングに接地されている。図１４は、「引付け」モードを示しており、そこでは、磁石１３８の極性は、磁石１３６を引き付けるよう構成され、再び、反作用及び逆往復動をもたらす。磁石１３８は、ハウジングに接地されている。磁石１３８及び１３９の間の空間は、振動減少に対する調節可能な効果をもたらすよう変更され得る。磁石１３６は、代替的に、モータに直接的に取り付けられ得る。さらに一層、他の固定子も使用され得る。固定子を通じて電流をもたらすことは、磁界を生成し、図１３（磁石１３７，１３７Ａ）又は図１４（磁石１３８）の磁石構成が使用されるかに依存して、類似の反発／引付け効果をもたらす。
【００２９】
また、モータは、各場合において、ワークピースに回転動作をもたらすものとして示されているが、モータは、横方向運動、前後運動、又は他の種類の運動又は運動の組み合わせを含む、他の動作ももたらし得ることが理解されるべきである。
【００３０】
さらに、ここに示される振動現象実施態様は、共振駆動系と共に極めて有用であることが理解されるべきである。それらは非共振駆動系も有する電気器具と使用され得る。
【００３１】
さらに一層、上述された系は、振動を減少し或いは排除するために、主として非結節取付け系との使用のためであるが、それは、そのような装置内の振動をさらに削減するために、第‘９６８号特許中に示されるような結節取付け系のためにも使用され得る。
【００３２】
上述された構成は、本発明の構造的及び機能的な構成を例証している、即ち、それは、所望の振動削減をもたらすよう、既存の電気器具の既存のハウジング内に位置付けられ得る別個のモジュールであり得る。それは新しい電気器具設計の一部でもあり得る。
【００３３】
上記実施態様は、装置内の振動の制動を制御するための他の素子と共にも使用され得る。制動は、振動相殺の範囲内のより広い範囲の動作の周波数を可能にする。これは、例えば、特定の振動相殺範囲内で機能する可変周波数駆動信号アルゴリズムを許容する。それは共振及び駆動周波数におけるより広い動作公差も可能にし、それによって、製造可能性を向上する。制動部材は、共振構造のＱへの調節を可能にする。
【００３４】
図１５は、モータ１４０と、質量１４２と、バネ系１４４とを含む、バネ質量系の脈絡における制動構造の１つの実施態様を示している。バネ質量系は、上述されたような様々な実施態様のうちのいずれか１つであり得ることが理解されるべきである。この構成では、制動は、質量に制動部材１４６を追加することによって達成される。制動部材はゴム材料で作成され、二次共振器の振動に対する所望の制動効果をもたらす大きさ及び他の特性を有する。
【００３５】
制動のための他の構成が図１６に示されており、それはモータ１５０と、バネ質量系とを含み、バネ質量系は、質量１５２と、バネ１５４とを含む。この実施態様では、バネ材料は、低効率を有し、制動機能をもたらす。適切な制動効果をもたらす低効率バネ材料の一例は、プラスチック又はゴムである。
【００３６】
図１７は、制動効果を有するさらなる実施態様を示しており、それはモータ１６０と、バネ質量系とを含み、バネ質量系は、質量１６２と、上記実施態様のいずれかに示されるようなバネ素子１６４とを含む。この構成では、バネの一端部１６６が、質量１６２の一部である制動部材１６８に取り付けられている。この場合における制動部材は、高粘性ゴム材料である。
【００３７】
一層さらなる実施態様では、ファンブレード部材１７０，１７１が、モータ１７４からバネ質量系内の質量１７３に取り付けられることができ、質量１７３がモータの作用に応答して空中で逆回転するときの制動又は抵抗因子を提供する。
【００３８】
一層さらに、図１６の実施態様の変形において、ファンブレードを備える質量は、その中に粘性材料を有するハンドル内の小さい囲壁／モジュール内に位置付けられることができ、それは質量が回転するときに追加的な制動をもたらす。
【００３９】
故に、多種多様な制動構造が、上記のバネ質量反回転系のいずれか又は全てとの組み合わせで利用され得る。
【００４０】
このように、パーソナルケア電気器具内の一次共振器に対して減少／相殺効果をもたらし、それによって、ハンドルへの振動を削減すよう構成され且つ配置される、二次的又は付加的共振器系が図示され且つ記載されたが、系は、結節取付け駆動系の性能を向上するためにも同様に使用され得る。そのような二次共振器の様々な実施態様、並びに、制動機能をもたらし、それによって系の機能性を向上する様々な制動構成が開示された。さらに、上記されたように、ここに記載された付加的な共振器系は、一次共振器がない非共振駆動系と共に使用され得る。
【００４１】
本発明の好適実施態様が例証の多目的のために開示されたが、後続の請求項によって定められる本発明の制振から逸脱せずに、様々な変更、修正、及び、置換が実施態様に組み込まれ得ることが理解されるべきである。
【図１】
2011502548.tif 000003
【図２】
2011502548.tif 000004
【図３】
2011502548.tif 000005
【図４】
2011502548.tif 000006
【図５】
2011502548.tif 000007
【図６】
2011502548.tif 000008
【図７】
2011502548.tif 000009
【図８】
2011502548.tif 000010
【図８Ａ】
2011502548.tif 000011
【図９】
2011502548.tif 000012
【図９Ａ】
2011502548.tif 000013
【図１０】
2011502548.tif 000014
【図１１】
2011502548.tif 000015
【図１２】
2011502548.tif 000016
【図１２Ａ】
2011502548.tif 000017
【図１３】
2011502548.tif 000018
【図１４】
2011502548.tif 000019
【図１５】
2011502548.tif 000020
【図１６】
2011502548.tif 000021
【図１７】
2011502548.tif 000022
【図１８】
2011502548.tif 000023
【国際調査報告】
2011502548.tif 000024
2011502548.tif 000025
2011502548.tif 000026